(57)【要約】【課題】ジョブデータの保存状況及び消去状況を把握することが出来、ジョブデータの有効活用、又はジョブデータの機密保護を達成することが出来るデータ処理装置の提供。【解決手段】入力されたデータを処理するデータ処理装置。入力されたデータの処理が完了した後に、そのデータをどのように後処理するかの設定を受け付ける設定受付手段４と、設定受付手段４が受け付けた設定の後処理を実行する手段８，１２とを備える構成である。【選択図】        図１
2005006102.tif 000002
【特許請求の範囲】
【請求項１】
入力されたデータを処理するデータ処理装置において、
前記データの処理が完了した後に該データをどのように後処理するかの設定を受け付ける設定受付手段と、該設定受付手段が受け付けた設定の後処理を実行する手段とを備えることを特徴とするデータ処理装置。
【請求項２】
データ毎の前記後処理の内容を表示する手段を更に備える請求項１記載のデータ処理装置。
【請求項３】
前記後処理は、保存先を定めたデータの保存、又は異なるデータを上書きする回数を定めたデータの無効化である請求項１又は２記載のデータ処理装置。
【請求項４】
前記設定受付手段が受け付けた設定による後処理の変更を受け付ける変更受付手段を更に備える請求項１乃至３の何れかひとつに記載のデータ処理装置。
【請求項５】
前記変更受付手段は、後処理が開始される迄は、該後処理の変更を受け付け可能とすべくなしてある請求項４記載のデータ処理装置。
【請求項６】
前記変更受付手段は、設定された後処理がデータの保存であるときは、該データの保存先の変更を受け付けるべくなしてある請求項４又は５記載のデータ処理装置。
【請求項７】
前記変更受付手段は、設定された後処理がデータの無効化であるときは、該データに異なるデータを上書きする回数の変更を受け付けるべくなしてある請求項４乃至６の何れかひとつに記載のデータ処理装置。
【発明の詳細な説明】
【０００１】
【発明の属する技術分野】
本発明は、プリンタ装置又はファクシミリ装置等、入力されたデータを処理するデータ処理装置に関し、特に、ネットワーク等の通信経路に接続されて機能するプリンタ装置又は画像通信装置に関し、詳しくは、入力されたジョブデータを処理する為に、補助記憶装置に一時的に記憶し、その記憶したジョブデータの出力処理が完了したものについての最終処理（後処理）の状況が確認可能なデータ処理装置に関するものである。
【０００２】
【従来の技術】
近年、原稿の画像をスキャナ装置により電子的に走査して読み取り、このスキャナ装置から出力された画像データを、プリンタ装置から記録出力するデジタル複写機が商品化されている。最近では、外部機器との通信を行い、画像データの送信、受信を行なう通信機能（ファクシミリ機能、プリンタ機能等）を搭載したディジタル複合機へと進化している。また、ディジタル複合機として処理する画像データを一時的に記憶する記憶装置も搭載され、大量の画像データ及び複数のジョブを効率よく処理することが出来るように改良されて来ている。
【０００３】
一方、画像データを記憶する記憶装置には、半導体メモリから構成されるもの、ハードディスク装置等の磁気記憶媒体からなるものなど様々なタイプがある。これら記憶装置においては、記憶容量、コスト、書き込み、読み出し速度、揮発性及び不揮発性等の面で、画像データを記憶する環境が異なっている。
特にハードディスク装置等の磁気記憶装置においては、ＦＡＴ（Ｆｉｌｅ  Ａｌｌｏｃａｔｉｏｎ  Ｔａｂｌｅ）という管理データによりディスク（記憶媒体）を小さな領域単位に分割して各領域を管理している。ディスク（記憶媒体）の各領域にデータを記憶した際に、そのＦＡＴデータを更新しておき、各領域に記憶されたデータを必要に応じて読み出す際に、このＦＡＴデータに基づき読み出している。
【０００４】
現在、このハードディスク装置は、記憶容量の大きさ、価格（部品コスト）、データの転送速度等の面で、半導体メモリの補助記憶装置としてディジタル複合機に搭載されている。そして、半導体メモリ上である程度のジョブデータを処理する一方で、新たに入力されて来るジョブデータを一時的に記憶させておき、処理の順番が来た段階で半導体メモリ上に読み出して処理するような構成となっている。これは画像データを処理するシステム（ディジタル複合機）として、大量のジョブデータを停滞させることなく効率よく処理することが出来る処理システムとして市場に提案するものである。また、最近では、ハードディスク装置は、システム（デジタル複合機）に入力されたデータを蓄積しておき、後に、その蓄積したデータを再度出力処理する機能の為に搭載されている。
【０００５】
【特許文献１】
特開平９−２８４５７２号公報
【０００６】
【発明が解決しようとする課題】
しかしながら、機密性の高い文書データをこのようなディジタル複合機で処理する場合、機密保護の面で問題がある。例えば、ハードディスク装置の各領域に一時的に記憶されたジョブデータ（画像データ）は、不要となった段階でＦＡＴデータが更新される。この状態で新たな画像データを記憶する際に、そのＦＡＴデータに基づき、不要となった画像データが記憶されている領域に、新たな画像データが上書きされたり、また、不要な領域として強制的に消去されたりしない限り、元の画像データは、データとして残っているからである。
【０００７】
そこで、特許文献１などに記載されているように、ディジタル複合機において処理が完了した段階で、ハードディスク装置に記憶されている画像データの領域を強制的に消去したり、乱数により発生させた非周期的なパターン画像を上書きしたりして、画像データとして再現が出来ないようにすることが考えられている。
しかし、ディジタル複合機は、他のジョブデータの処理を行う為、ジョブデータの消去を優先すると、その他のジョブデータの処理に影響を与えたり、また、新たに入力されたジョブを優先させると、印刷処理が終了したジョブデータが消去されずに磁気記憶媒体に保存された状態となる。従って、上述した方法は、機密保護の観点から十分な対処法でなく、更に、これらの状況を操作者が認識する手段を備えていないという問題がある。
【０００８】
本発明は、上述したような事情に鑑みてなされたものであり、ジョブデータの保存状況及び消去状況を把握することが出来、ジョブデータの有効活用、又はジョブデータの機密保護を達成することが出来るデータ処理装置を提供することを目的とする。
【０００９】
【課題を解決するための手段】
本発明に係るデータ処理装置は、入力されたデータを処理するデータ処理装置において、前記データの処理が完了した後に該データをどのように後処理するかの設定を受け付ける設定受付手段と、該設定受付手段が受け付けた設定の後処理を実行する手段とを備えることを特徴とする。
【００１０】
このデータ処理装置では、入力されたデータを処理する。設定受付手段が、データの処理が完了した後にそのデータをどのように後処理するかの設定を受け付け、実行する手段が、設定受付手段が受け付けた設定の後処理を実行する。
これにより、ジョブデータの保存状況及び消去状況を把握することが出来、ジョブデータの有効活用、又はジョブデータの機密保護を達成することが出来るデータ処理装置を実現することが出来る。また、処理するデータの内容（取り扱い方法）に応じて事前に設定が出来るので、設置先におけるデータの取り扱い環境に応じてデータの最終処理内容を選択することが出来る。
【００１１】
本発明に係るデータ処理装置は、データ毎の前記後処理の内容を表示する手段を更に備えることを特徴とする。
【００１２】
このデータ処理装置では、表示手段が、データ毎の後処理の内容を表示するので、処理されたデータが、その後どう後処理されるのか確認することが出来、利用者にとっても安心（有効）である。
【００１３】
本発明に係るデータ処理装置は、前記後処理は、保存先を定めたデータの保存、又は異なるデータを上書きする回数を定めたデータの無効化であることを特徴とする。
【００１４】
このデータ処理装置では、後処理は、保存先を定めたデータの保存、又は異なるデータを上書きする回数を定めたデータの無効化であるので、処理が完了したデータの内容（重要性：あとで活用、機密性：漏洩防止、データ保護など）に応じて、その後の処理内容を確認したり、必要に応じて変更したりすることが出来、利用者にとって有効である。
【００１５】
本発明に係るデータ処理装置は、前記設定受付手段が受け付けた設定による後処理の変更を受け付ける変更受付手段を更に備えることを特徴とする。
【００１６】
このデータ処理装置では、変更受付手段が、設定受付手段が受け付けた設定による後処理の変更を受け付けるので、処理が完了したデータの、その後の後処理内容を確認した上で、希望する内容と違う場合には、その内容を変更することが出来、利用者にとって有効である。
【００１７】
本発明に係るデータ処理装置は、前記変更受付手段は、後処理が開始される迄は、該後処理の変更を受け付け可能とすべくなしてあることを特徴とする。
【００１８】
このデータ処理装置では、変更受付手段は、後処理が開始される迄は、その後処理の変更を受け付け可能であるので、処理が完了してデータに対する後処理が開始される迄の間に必要に応じて変更が可能であり、利用者にとっても有効である。
【００１９】
本発明に係るデータ処理装置は、前記変更受付手段は、設定された後処理がデータの保存であるときは、該データの保存先の変更を受け付けるべくなしてあることを特徴とする。
【００２０】
このデータ処理装置では、変更受付手段は、設定された後処理がデータの保存であるときは、そのデータの保存先の変更を受け付ける。これにより、処理が完了した画像データは、基本的に予め設定された後処理が施され、毎回所定の指示を行う必要もなく操作性が向上する。また、データの保存先を一時的に変更したいときにも、変更が可能であり利用者にとっても有効である。
【００２１】
本発明に係るデータ処理装置は、前記変更受付手段は、設定された後処理がデータの無効化であるときは、該データに異なるデータを上書きする回数の変更を受け付けるべくなしてあることを特徴とする。
【００２２】
このデータ処理装置では、変更受付手段は、設定された後処理がデータの無効化であるときは、そのデータに異なるデータを上書きする回数の変更を受け付ける。これにより、処理が完了した画像データは、基本的に予め設定された後処理が施されるので、毎回所定の指示を行う必要もなく操作性が向上する。また、異なるデータを上書きする回数を一時的に変更したいときにも、変更が可能であり、利用者にとっても有効である。特にデータの機密性に応じてデータの処理内容を一時的に変更出来るので有効である。
【００２３】
【発明の実施の形態】
以下に、本発明をその実施の形態を示す図面に基づいて説明する。
図１は、本発明に係るデータ処理装置の実施の形態であるディジタル複合機の要部構成を示すブロック図である。このディジタル複合機１は、ＣＣＤ２ａ（Ｃｈａｒｇｅ  Ｃｏｕｐｌｅｄ  Ｄｅｖｉｃｅ）により原稿の画像を読み取る画像読取部２と、タブレット、入力キーからなる入力部４ａ及びＬＣＤ（Ｌｉｑｕｉｄ  Ｃｒｙｓｔａｌ  Ｄｉｓｐｌａｙ）からなる表示部４ｂを有する操作部４と、ネットワークＮＷを通じてパーソナルコンピュータ３，５からデータを受信する通信部１０とを備えている。
【００２４】
このディジタル複合機１は、また、画像読取部２及び通信部１０からのデータをメモリ６ａに一旦記憶し、記憶したデータに基づき印字部６ｂにより用紙に画像を形成する画像形成部６と、メモリ６ａからのデータを記憶し、また、記憶しているデータをメモリ６ａに出力するハードディスク１２と、上述した各部を制御する機器制御部８と、機器制御部８により制御されている各部に関する情報を管理する管理部１４とを備えている。
【００２５】
（コピーモード）
本実施の形態であるディジタル複合機１が複写機として使用される場合、ディジタル複合機１は、画像読取部２が読み取った原稿の画像データを、画像形成部６が用紙に複写して出力する。
画像読取部２は、ＣＣＤ２ａが、読み取り位置にセットされた原稿の画像を電子的に読み取る。ＣＣＤ２ａが読み取った原稿の画像データは、揮発性のメモリ６ａ上に出力画像として形成され、一旦ハードディスク１２へ記憶される。原稿が複数ある場合は、この読み取り及び記憶の動作が繰り返される。
【００２６】
その後、ディジタル複合機１は、操作部４から指示された処理モードに基づいて、ハードディスク１２に記憶した画像データを適切なタイミングで順次読み出して、揮発性のメモリ６ａに送る。そして、印字部６ｂへの書き込みタイミングに合わせて、画像データをメモリ６ａから印字部６ｂへ転送する。
また、ディジタル複合機１は、読み取った画像データを複数枚印字する場合も、同様に出力画像としてページ単位でハードディスク１２に記憶し、出力するモードに合わせて、ハードディスク１２から揮発性メモリ６ａに送り、出力枚数の分だけ繰り返し、印字部６ｂへの書き込みタイミングに合わせて、印字部６ｂへ転送する。
【００２７】
（プリンタモード）
本実施の形態であるディジタル複合機１がプリンタとして使用される場合、ディジタル複合機１は、通信部１０が受信した画像データを、メモリ６ａ等を介して画像形成部６が用紙に出力する。
通信部１０は、通信ケーブル等によりネットワークＮＷと接続されており、ネットワークＮＷ上に接続されたパーソナルコンピュータ３，５等の機器から画像データを受信する。ディジタル複合機１は、通信部１０が受信した画像データを、出力する画像データとしてページ単位にメモリ６ａに送り、一旦ハードディスク１２に記憶する。そして、ディジタル複合機は、再びハードディスク１２から揮発性のメモリ６ａに送り、複写機として使用される場合と同様にして、印字部６ｂへ転送する。
【００２８】
（画像送信モード）
また、本実施の形態であるディジタル複合機１がネットワークスキャナとして使用される場合、ディジタル複合機１は、画像読取部２が読み取った原稿の画像データを、通信部１０が、ネットワークＮＷを介して任意のパーソナルコンピュータ３，５へ送信することが出来る。この場合も、画像読取部２が備えるＣＣＤ２ａにより原稿の画像を電子的に読み取る。
【００２９】
ディジタル複合機１は、画像読取部２が読み取った原稿の画像データを、揮発性のメモリ６ａ上に出力画像として形成し、一旦ハードディスク１２に記憶する。そして、一旦記憶した画像データを、再びハードディスク１２から揮発性のメモリ６ａに送り、操作部４を介して指示された送信先との通信を確立させた上で、通信部１０から目的の送信先へと送信する。
更に、通信部１０は、ネットワークＮＷ以外に電話回線と接続されており、本実施の形態であるディジタル複合機１は、ファクシミリ装置として使用される場合にも、同様の動作を行なう。
【００３０】
（画像記憶部）
尚、ここでは、画像データを一時的に保存する記憶装置として、ハードディスク１２を備えたディジタル複合機１として説明しているが、これに限らず、装置本体から取り外されても、保存された画像データを保持することが出来る不揮発性のメモリや、バックアップ機能の付いたメモリ、磁気記憶媒体を用いたその他の記憶装置（媒体）等を備えている場合についても、同様に適用することが可能である。
【００３１】
（その他構成部）
また、本実施の形態であるディジタル複合機１の各構成部は、機器制御部８により制御され、操作部４に設けられたタブレット、入力キー群などの入力部４ａからの操作指示を監視すると共に、表示部４ｂにより、ディジタル複合機１の状態に関する情報等、利用者に通知すべき情報を的確に案内表示する。また、管理部１４は、機器制御部８により管理されている各構成部に関する情報を管理しており、これらの情報に基づき、機器制御部８がディジタル複合機１全体の動作を制御する。
【００３２】
（操作パネル）
図２は、操作部４を詳細に示す説明図である。
操作部４（操作パネル）は、図１でも説明したように入力部４ａおよび表示部４ｂを備えている。表示部４ｂは、ドットマトリックスタイプの液晶パネル２１により構成されており、本実施の形態であるディジタル複合機１として、使用者に対して報知すべき情報を詳細に案内表示する。また、この液晶パネル２１の画面上には、透明なタッチパネルが設けられており、液晶パネル２１上に表示される情報に従ってタッチパネルを操作すると、その操作情報が指示情報として入力され、入力部４ａの一部としても機能する。
【００３３】
入力部４ａは、他に、液晶パネル２１に隣接して配置されたキー群を備え、コピースタートを指示する為のスタートキー１６、実行中の処理を中断させる為のクリアオールキー１７、指示したモードの内容をクリアするクリアキー１８、コピー枚数などを指示する為のテンキー２２、モード毎の切換キー２３ａ，２３ｂ，２３ｃ、及びユーザ設定キー２４等が含まれる。
また、ジョブ状況キー２３ｄの操作により、現在のジョブの処理状況と印刷が完了した過去の印刷状況とが確認可能である。
【００３４】
（プリントジョブ管理）
図３は、表示パネル２１の表示画面の例を示す説明図である。
本実施の形態であるディジタル複合機１が備える操作パネル（図２）上のジョブ状況キー２３ｄを押下することにより、ジョブ管理モードとなり、表示パネル２１の表示画面が図３のように遷移する。
【００３５】
ジョブ管理モードは、プリント、Ｅ−ＭＡＩＬ／ＦＴＰ、ファクスの各モードが、キー２５ａ，２５ｂ，２５ｃにより選択可能であり、図３では、プリントモードが選択されている。ディジタル複合機１に送信されたプリントジョブは、印刷が終了する迄、このジョブ管理モードで管理され、ユーザ名、通常印刷・割り込み印刷・親展印刷の種別を表すモード、印刷枚数（ジョブの枚数）、印刷部数及び現在の出力状況が表示される。複数のジョブが存在する場合には、上下キー２３ｄの操作により、画面をスクロールさせ、全ジョブの管理が可能な構成となっている。
【００３６】
また、各ジョブの最後には、各ジョブの処理が完了したときに行われる最終処理（後処理）の内容を表すアイコンが表示されている。
ここで、プリントジョブの最終処理について説明する。プリントジョブが指示された条件で出力処理されると、以降、そのジョブデータを「保存する」か「削除する」か事前に設定されており、ジョブデータの内容などから使用者がどちらにするか決定するものである（ジョブ１，２，３は「削除する」であり、ジョブ４は「保存する」である）。
【００３７】
ディジタル複合機１が処理したジョブデータを、その処理の完了後に最終的にどのように処理するのか、初期モードとして登録することが出来る。尚、最終処理モードとして、「保存する」モードは、ディジタル複合機１が処理した後でのデータの有効活用を考慮した機能であり、「削除する」モードは、ディジタル複合機１の設置先におけるデータの保護を優先的に考慮した機能である。
設置先における画像データの利用方法やデータの保護など、データに対する考え方に応じて、ディジタル複合機１がデータの出力処理を完了した時点で、どのように最終的に処理すべきか、事前に設定しておくこととなる。（「保存」又は「削除」）
【００３８】
ここでは、初期モードとして「削除する」が選択されているので、受け付けたジョブは基本的に処理後に削除される。しかし、使用者が必要に応じてデータの保存を望むのであれば、「保存する」に変更することは可能である。
その手法としては、図３に示すように、希望するジョブ（ここではジョブ１）を選択した状態で、画面右中央の「詳細」キー２９を押圧すると、図４に示すような画面に変わり、ジョブ１の詳細情報が表示される。
【００３９】
この詳細表示情報の右下にあるデータ「保存」キーを操作して、ジョブデータの最終処理を「データ削除」から「データ保存」に切り替える。そして、表示画面右上の「ＯＫ」キーを操作することで、ジョブ４はジョブ終了後の最終処理が「データ保存」として確定され、図５に示すように、表示画面が遷移する（ジョブ１のアイコンが「データ保存」に変わっている）。
【００４０】
また、「保存する」モードにおいてはジョブデータの保存先も事前に設定することが出来る。図４に示す「保存先」キーを押圧すると、図７に示すように、標準の保存先「共有」と共に、それ以外の保存先「個人Ａ」「個人Ｂ」「機密」等が一覧表示され、その中から任意に保存先を設定することが可能である。このデータの保存先の設定・変更は、ディジタル複合機１に指示したジョブの処理が完了し、最終処理が開始される迄に行う。（処理が完了したデータの保存先についても、予め設定しておくことが可能である。）
【００４１】
一方、「削除する」モードにおいては、ジョブデータの削除（無効化）の条件が事前に設定されている。図４に示す「削除条件」キーを押圧すると、図６に示すような画面に変わり、標準の消去回数（ハードディスクにおけるデータ上書き回数）を１回からＮ回の間で、任意に設定変更することが可能である。このデータの削除の条件の設定・変更は、ディジタル複合機１に指示したジョブの処理が完了し、最終処理が開始される迄に行う。（処理が完了したデータの削除の条件（異なるデータを繰り返し上書きする消去回数）についても、予め設定しておくことが可能である。）
【００４２】
（その他のジョブ変更操作）
更に、図３又は図５に示すようなジョブリスト表示画面上において、「優先」キー２７を押圧することにより、選択しているジョブを優先的に印刷させることが可能であり、「中止／削除」キー２８を押圧することにより、選択しているジョブの処理をキャンセルさせることが出来る。ここで、「中止」は、処理中のジョブを中止してしまうことであり、「削除」は、待機中にあるジョブを中断してクリアしてしまうことである。
【００４３】
（ジョブ完了リスト）
図３に示す画面で、画面右上のキー２６を押下することにより、図８に示すような画面に変わる。この画面では、印刷が完了した全ての印刷ジョブの経過状況を確認することが出来る。このジョブ完了リストも、プリント、Ｅ−ＭＡＩＬ／ＦＴＰ、ファクスのモード別に管理され、ユーザ名、印刷指示を行った日時、印刷枚数、印刷部数、状況が管理される。
【００４４】
この画面で示される状況は、ディジタル複合機１内のメモリ状態を示し、ジョブ１，２のジョブデータは、ハードディスク１２等の記憶手段に残っている状態にあり、２０：００に一括して削除されることが分かる（時間指定削除）。また、ジョブ３のジョブデータは、ハードディスク１２等の記憶手段から消去されていることが確認出来る。更に、ジョブ４は、印刷開始までの指示により、ジョブデータが保存場所に保存されており、次回の印刷などの処理に活用することが出来ることが分かる。尚、このデータは、使用者からの削除指示がある迄、ドキュメントファイリング機能として所定のフォルダに保持される。
【００４５】
【発明の効果】
本発明に係るデータ処理装置によれば、ジョブデータの保存状況及び消去状況を把握することが出来、ジョブデータの有効活用、又はジョブデータの機密保護を達成することが出来るデータ処理装置を実現することが出来る。また、処理するデータの内容（取り扱い方法）に応じて事前に設定が出来るので、設置先におけるデータの取り扱い環境に応じてデータの最終処理内容を選択することが出来る。
【００４６】
本発明に係るデータ処理装置によれば、処理されたデータが、その後どう後処理されるのか確認することが出来、利用者にとっても安心（有効）である。
【００４７】
本発明に係るデータ処理装置によれば、処理が完了したデータの内容（重要性：あとで活用、機密性：漏洩防止、データ保護など）に応じて、その後の処理内容を確認したり、必要に応じて変更したりすることが出来、利用者にとって有効である。
【００４８】
本発明に係るデータ処理装置によれば、処理が完了したデータの、その後の後処理内容を確認した上で、希望する内容と違う場合には、その内容を変更することが出来、利用者にとって有効である。
【００４９】
本発明に係るデータ処理装置によれば、処理が完了してデータに対する後処理が開始される迄の間に必要に応じて変更が可能であり、利用者にとっても有効である。
【００５０】
本発明に係るデータ処理装置によれば、処理が完了した画像データは、基本的に予め設定された後処理が施され、毎回所定の指示を行う必要もなく操作性が向上する。また、データの保存先を一時的に変更したいときにも、変更が可能であり利用者にとっても有効である。
【００５１】
本発明に係るデータ処理装置によれば、処理が完了した画像データは、基本的に予め設定された後処理が施されるので、毎回所定の指示を行う必要もなく操作性が向上する。また、異なるデータを上書きする回数を一時的に変更したいときにも、変更が可能であり、利用者にとっても有効である。特にデータの機密性に応じてデータの処理内容を一時的に変更出来るので有効である。
【図面の簡単な説明】
【図１】本発明に係るデータ処理装置の実施の形態であるディジタル複合機の要部構成を示すブロック図である。
【図２】図１に示す操作部を詳細に示す説明図である。
【図３】図２に示す表示パネルの表示画面の例を示す説明図である。
【図４】図２に示す表示パネルの表示画面の例を示す説明図である。
【図５】図２に示す表示パネルの表示画面の例を示す説明図である。
【図６】図２に示す表示パネルの表示画面の例を示す説明図である。
【図７】図２に示す表示パネルの表示画面の例を示す説明図である。
【図８】図２に示す表示パネルの表示画面の例を示す説明図である。
【符号の説明】
１  ディジタル複合機
２  画像読取部
２ａ  ＣＣＤ
４  操作部
２ａ  入力部
２ｂ  表示部
６  画像形成部
６ａ  メモリ
６ｂ  印字部
８  機器制御部
１０  通信部
１２  ハードディスク
１４  管理部
１６  スタートキー
１７  クリアオールキー
１８  クリアキー
２１  液晶パネル
２２  テンキー
２３ｄ  ジョブ状況キー
２４  ユーザ設定キー
２７  「優先」キー
２８  「中止／削除」キー
２９  「詳細」キー
ＮＷ  ネットワーク
【図１】
2005006102.tif 000003
【図２】
2005006102.tif 000004
【図３】
2005006102.tif 000005
【図４】
2005006102.tif 000006
【図５】
2005006102.tif 000007
【図６】
2005006102.tif 000008
【図７】
2005006102.tif 000009
【図８】
2005006102.tif 000010